(57)【要約】      （修正有）【課題】基礎構造に防湿性を付与すると共に構造の簡略化により、木造建築の耐久性と住環境を向上させ、かつ、解体処理時の経費低減が図れると共に、余剰木材の有効利用により林業や木材産業の活性化を実現することができる木造建築の構築方法を提供する。【解決手段】地面のベース１上にコンクリート製の独立基礎５を設置し、地面上に点在して配置した多数の上記独立基礎５上に、元口と末口の方向が逆配置となるよう上下に二本の角材を重ねて組み合わせた土台７を、該独立基礎５との間に防湿部材６を介させた状態で載置して締結し、この土台７上に、土台７のコーナ部分に隅柱１１と、隅柱１１間の位置に木製角材を用いて形成した壁用パネル１３をそれぞれ建て込んで壁構造を構築し、この壁構造の上に屋根組を組み立てる。【選択図】図３
2005201025.tif 000002
【特許請求の範囲】
【請求項１】
地面の孔に栗石を入れ、その上にコンクリートを打設して形成したベース上にコンクリート製の独立基礎を設置し、地面上に点在して配置した多数の上記独立基礎上に、元口と末口の方向が逆配置となるよう上下に二本の角材を重ねて組み合わせた土台を、該独立基礎との間に防湿部材を介させた状態で載置して締結し、この土台上に、土台上のコーナ部分に隅柱と、隅柱間の位置に木材を用いて形成した壁用パネルをそれぞれ建て込み、コーナ部分において隅柱と壁用パネルを形成する柱材の合計三本の柱を集合させた壁構造を構築し、更に、この壁構造の上に屋根組を組み立てる木造建築の構築方法。
【請求項２】
上記壁用パネルに、隅柱と同じ大きさの断面を有する柱材を両側に用いた枠体の内部に断熱用の木製角材を張設し、両面をフラットに仕上げて形成された壁用パネルを用いる請求項１に記載の木造建築の構築方法。
【請求項３】
上記土台上の隅柱間に隅柱と同じ大きさの断面を有する間柱を壁用パネルが納まる間隔で建て込み、隅柱と間柱間及び間柱相互間にそれぞれ壁用パネルを建て込み、各壁用パネルはその柱材を隅柱及び間柱と、ホゾとホゾ溝を用いて結合し、壁構造の内外面をフラット面に仕上げるようにする請求項１又は２に記載の木造建築の構築方法。
【請求項４】
上記点在して配置したコンクリート製独立基礎間の上部に、断熱用の板を着脱自在に張設するようにした請求項１乃至３の何れかに記載の木造建築の構築方法。
【発明の詳細な説明】
【技術分野】
【０００１】  この発明は、木製角材を主体に使用し、耐震性と保温性に優れた建物を構築することができる木造建築の構築方法に関する。
【背景技術】
【０００２】  従来の一般的な住宅用の木造建築は、地面上に設けた布基礎やベタ基礎の上に土台を載置固定し、この土台上のコーナ部分に建て込んだ隅柱の上端間に桁を設け、土台と桁の間に通し柱と間柱を建て込むみ、これら柱郡の両面に板を張設して壁構造を構築し、この壁構造の上に屋根となる小屋組を設けた構造になっている。
【発明の開示】
【発明が解決しようとする課題】
【０００３】  ところで、コンクリート製の布基礎やベタ基礎は、水分の透過を完全に遮断することができないため、建物の床部における湿度の問題が生じ、木造建築の耐久性を低下させる大きな要因になっていると共に、コンクリート製の布基礎やベタ基礎の構築は、木造建築の解体時にその基礎の撤去に手間と時間がかかり、しかも多量の廃棄物を生じさせるため、木造建築を借地に建設した場合の借地権の契約切れ後の解体処理に、多額の経費が発生するという問題がある。【０００４】  また、従来の木造建築は、建物の四隅にある柱が耐震強度を担うことになるが、各コーナに一本の隅柱を建てた構造では、隅柱の強度向上に限界があり、実際に地震を受けた木造建築が隅柱の倒れによって倒壊しているのが現実である。【０００５】  さらに、国内における林業の近年の状態は、木材の需要減少や人手不足等により、伐採して木造建築に利用できる木材をそのまま放置したり、造成や土砂の採取によって切り出された木材をそのまま野積みしているのが現状であり、木材資源の有効利用が急務になっている。【０００６】  そこで、この発明の課題は、基礎構造に防湿性を付与すると共に構造の簡略化により、木造建築の耐久性と住環境を向上させ、かつ、解体処理時の経費低減が図れると共に、耐震強度に優れた建物を構築でき、しかも、木材の消費を拡大することにより、余剰木材の有効利用により林業や木材産業の活性化を実現することができる木造建築の構築方法を提供することにある。
【課題を解決するための手段】
【０００７】  上記のような課題を解決するため、この発明は、地面の孔に栗石を入れ、その上にコンクリートを打設して形成したベース上にコンクリート製の独立基礎を設置し、地面上に点在して配置した多数の上記独立基礎上に、元口と末口の方向が逆配置となるよう上下に二本の角材を重ねて組み合わせた土台を、該独立基礎との間に防湿部材を介させた状態で載置して締結し、この土台上に、土台上のコーナ部分に隅柱と、隅柱間の位置に木製角材を用いて形成した壁用パネルをそれぞれ建て込み、コーナ部分において隅柱と壁用パネルを形成する柱材の合計三本の柱を集合させた壁構造を構築し、更に、この壁構造の上に屋根組を組み立てる構成を採用したものである。【０００８】  ここで、壁用パネルに、隅柱と同じ大きさの断面を有する柱材を両側に用いた枠体の内部に断熱用の木製角材を張設し、両面をフラットに仕上げて形成された壁用パネルを用いたり、上記土台上の隅柱間に隅柱と同じ大きさの断面を有する間柱を壁用パネルが納まる間隔で建て込み、隅柱と間柱間及び間柱相互間にそれぞれ壁用パネルを建て込み、各壁用パネルはその柱材を隅柱及び間柱と、ホゾとホゾ溝を用いて結合し、壁構造の内外面をフラット面に仕上げるようにすることができる。【０００９】  また、上記点在して配置したコンクリート製の独立基礎間の上部に、断熱用の板を着脱自在に張設するようにしてもよい。【００１０】  上記した土台と隅柱、間柱及び壁用パネルの柱材は、例えば、１００ｍｍ×１００ｍｍの木製角材を用い、土台は元口と末口の方向が逆配置となるよう上下に二本の角材を重ねて組み合わせることにより、一本物の角材の両端部での強度の違いを補正すると共に、経時的な反りの発生を相殺することができる。【００１１】  また、壁用パネルは、柱材を用いた枠体の内部で両側柱材に、柱材よりも細い縦桟を固定し、この縦桟間に縦桟と等しい断面の断熱用の木製角材を張設し、枠体の両面の凹部に平板を張設することにより、両面をフラットに仕上げて形成され、上記土台と隅柱、間柱及び壁用パネルの寸法を一定化することにより、壁構造の内外面がフラット面に仕上ることになる。【００１２】  上記壁用パネルは、柱材を用いた枠体の内部に断熱用の木製角材を直接張設して、両面をフラットに仕上げた構造でもよい。
【発明の効果】
【００１３】  この発明によると、地面のベース上にコンクリート製の独立基礎を設置し、地面上に点在して配置した多数の上記独立基礎上に土台を、防湿部材を介させた状態で載置して締結し、この土台上に、壁構造と小屋組を組み立てるようにしたので、独立基礎と木製の土台を防湿部材で縁を切ることができ、地面からの湿気を土台に達しないようにすることで、土台を湿気から確実に守り、木製建築物の湿気による腐食の発生を抑えて耐久性の向上を図ることができる。【００１４】  また、上記土台は、元口と末口の方向が逆配置となるよう上下に二本の角材を重ねて組み合わせたので、一本物の角材の両端部での強度の違いを補正すると共に、経時的な反りの発生を相殺することができることになり、土台の強度と耐久性の向上を図ることができる。【００１５】  また、土台上のコーナ部分に隅柱と、隅柱間の位置に木製角材を用いて形成した壁用パネルをそれぞれ建て込み、コーナ部分において隅柱と壁用パネルを形成する柱材の合計三本の柱を集合させたので、隅部の強度向上により耐震性に優れた建物を構築することができる。【００１６】  更に、隅柱の断面径と壁用パネルの厚さを同一とすることにより、壁構造は両面がフラットになり、内外装の施工が簡単で美しく仕上がり、壁構造の壁用パネルは、その空間が断熱用の角材で埋められているので、断熱性に優れた建物を構築することができる。【００１７】  また、独立基礎を地面に設けたベース上に点在して配置したので、簡単に撤去することができ、解体処理時の経費低減が図れると共に、木製角材の使用で建物を構築でき、木材の消費を拡大することにより、余剰木材の有効利用により林業や木材産業の活性化を実現することができる
【発明を実施するための最良の形態】
【００１８】  地面の孔に栗石を入れ、その上にコンクリートを打設して形成したベース上にコンクリート製の独立基礎を設置し、地面上に点在して配置した多数の上記独立基礎上に、元口と末口の方向が逆配置となるよう上下に二本の角材を重ねて組み合わせた土台を、防湿部材を介させた状態で載置して締結し、この土台上に、隅柱と、隅柱間の位置に木製角材を用いて形成した壁用パネルをそれぞれ建て込み、コーナ部分において隅柱と壁用パネルを形成する柱材の合計三本の柱を集合させた壁構造を構築する。
【実施例】
【００１９】  以下、この発明の実施例を図示例と共に説明する。【００２０】  図３は、基礎構造を示し、木造の建物を構築せんとする地面に、建物の平面形状に合わせた配置で多数のベース１を構築する。このベース１は、掘削した孔２に栗石３を入れてその上部に目潰しコンクリート４を打設して構築され、各ベース１上にコンクリート製の独立基礎５を設置する。【００２１】  上記コンクリート製の独立基礎５は、下部が大径の円錐台形や角錐台形に形成し、各ベース１上に設置することにより、建物の土台を支持する位置に所定の間隔で並べた点在的な配置となり、この独立基礎５はベース１と目潰しコンクリート４で結合されることになる。【００２２】  上記各独立基礎５の上端面にビニールシート等の防湿材６を敷設し、この防湿材６を介して各独立基礎５上にわたって土台７が平面的に枠状となるよう載置される。【００２３】  この土台７は、元口と末口の方向が逆配置となるよう上下に二本の木製角材７ａと７ｂを重ねて組み合わせた構造を有し、独立基礎５に上方に突出するよう埋設した所要数本のアンカーボルト８に貫通孔９を挿入し、アンカーボルト８に螺合したナット１０の締め付けにより、独立基礎５と固定化されている。【００２４】  このように、土台７は、上下に二本の木製角材７ａと７ｂを元口と末口の方向が逆配置となるよう重ねると、木製角材７ａと７ｂの両端部での強度の違いを補正することができ、また、角材７ａと７ｂの経時的な反りの発生を相殺することができ、土台７の強度を向上させることができると共に、変形の発生を防ぐことができるという利点がある。【００２５】  図１と図４のように、上記土台７上には、土台７上のコーナ部分に隅柱１１と、隅柱１１間の位置に所要数の間柱１２と、隅柱１１と間柱１２間及び間柱１２間に壁用パネル１３をそれぞれ建て込むと共に、これらの上部に土台７と同様、上下に二本の木製角材１４ａと１４ｂを重ねた軒げた１４を載置結合することにより壁構造が構築される。【００２６】  図５は、壁用パネル１３の第１の例を示し、両側の縦枠材１５と上下枠材１６を用いて上下に長い矩形状の枠体１７を組み、両側縦枠材１５の内面側全長に枠材１５よりも一回り小径の縦桟材１８を固定し、対向する縦桟材１８間に、縦桟材１８と同じ断面径の多数の断熱用角材１９を順次積み重ね状にして配置し、枠体１７内で断熱用角材１９の両面に生じた凹部に、この凹部に適合する厚みの平板２０をそれぞれ張設し、両面をフラットに仕上げた構造になっている。【００２７】  図６に示す第２の例の壁用パネル１３は、上記と同様の枠体１７の内部に、縦枠材１５の半分の断面径の多数の断熱用の角材２１を両面側から順次積み重ね状に配列することで、両面をフラットに仕上げた構造になっている。【００２８】  なお、壁用パネル１３は何れの例においても、断熱用角材１９、２１の配列パターンを水平だけでなく、傾斜状に配列するようにしてもよい。【００２９】  上記のように、壁用パネル１３は、枠材１５、１６を用いた枠体１７の内部に断熱用の木製角材１９又は２１を張設して形成され、上記した土台７と隅柱１１、間柱１２、軒げた１４及び壁用パネル１３の枠材１５、１６は、例えば、１００ｍｍ×１００ｍｍの木製角材が用いられ、このように、土台７と隅柱１１、間柱１２、軒げた１４の断面径及び壁用パネル１３の厚み寸法を一定化することにより、組み立てた壁構造の内外面がフラット面に仕上ることになる。【００３０】  図７は、壁用パネル１３相互の結合のための構造を示し、壁用パネル１３の縦枠材１５の互いに重なり合う外面に凹溝２２を長さ方向に沿って設け、両凹溝２２にわたって結合用角材２３を嵌め込むことにより結合するようにしている。このような凹溝２２と結合用角材２３を用いた結合方法は、壁用パネル１３と隅柱１１又は間柱１２の結合、壁用パネル１３の組み立てにおける縦枠材１５と縦桟材１８の結合にも採用できる。【００３１】  このように、縦枠材１５と隅柱１１、間柱１２、縦桟材１８に凹溝２２を長さ方向に沿って設けることにより、これらを形成する角材の割れ防止が行えることになる。【００３２】  図８は、土台７上に建て込んだ壁用パネル１３と土台７の結合、壁用パネル１３と軒げた１４の結合のための構造を示し、壁用パネル１３と土台１１、軒げた１４を形成する角材の重なり合う対応位置にホゾ孔２４をそれぞれ設け、両ホゾ孔２４にわたってホゾ２５を嵌め込むことにより結合するようになっている。【００３３】  図９に示す第３の例の壁用木製パネル８は、同一長さの単板４１を複数並べて接着した三枚の集合板４２を、その木目が順次交差する配置となるように重ねて接着固定し、一辺が両側縦枠材２０の間に納まる正方形で柱の幅と同様の厚みを有する面板４３とし、この面板４３の四周縁に凹溝４４を周設し、この四周囲の凹溝４４内に接続板４５をその一部が外側に突出するよう嵌め込み固定し、両側縦枠材２０の対向面に設けた凹溝に両側の接続板を嵌め込むことにより、必要枚数の壁用木製パネル８を上から順に落とし込み、上下の壁用木製パネル８は、上下の凹溝４４にわたって接続板４５を嵌め込こんで接続することにより、木製の壁を形成するものである。【００３４】  このように、三枚の集合板４２を、その木目が順次交差する配置となるように重ねて接着固定すると、木のくせが取り除けるので反り等の発生が防げると共に、単板４１に端材を使用できるのでコスト的に有利となる。【００３５】  なお、上記面板４３の両面における周囲の稜部は、傾斜や円弧状の面取りを施すようにすると共に、単板４１相互の結合や接続板４５の取付け及び接続板４５と縦枠材の固定は、接着以外の手段を採用してもよい。【００３６】  図１０に示す第４の例の壁用木製パネル８は、角軸状短材の集合によって第３の例と同様の壁用木製パネル８を形成したものであり、角軸状短材４６の長手方向の両側と両末口に凹溝４７を設け、同一長さの四本の角軸状短材４６を正方形となるよう巴状に組み合わせ、その中心部に年輪が両面に見えるような配置で正方形の中央角材４８を組み込み、上記巴状に組み合わせ角軸状短材４６の外側に長い四本の角軸状短材４６を巴状に組み合わせ、これを順次外方に繰り返し、隣接する各角軸状短材４６及び角軸状短材４６と中央角材４８は、両者の凹溝４７にわたって嵌め込んだ接続板４９によって接続することにより、一辺が両側縦枠材２０の間に納まる正方形で柱の幅と同様の厚みを有する面板５０とし、この���板５０の四周縁に残した凹溝４７内に接続板４９をその一部が外側に突出するよう嵌め込み固定し、両側縦枠材２０の対向面に設けた凹溝に両側の接続板４９を嵌め込むことにより、必要枚数の壁用木製パネル８を上から順に落とし込み、上下の壁用木製パネル８は、上下の凹溝４７にわたって接続板４９を嵌め込こんで接続することにより、木製の壁を形成するものである。【００３７】  この第４の例の壁用木製パネル８においても、角軸状短材４６と中央角材４８の両面における周囲の稜部は、傾斜や円弧状の面取りを施すようにすると共に、角軸状短材４６相互の結合や接続板４９の取付け、接続板４９と縦枠材２０の固定は、接着以外の手段を採用してもよい。【００３８】  図２は、壁構造の上に設ける合掌構造の小屋組を示し、軒げた１４間に小屋ばりを設け、軒げた１４と小屋ばりに立設した真づか２６やつりづか２７、方づえ２８等で両側一対となる合掌２９を真づかか２６ら両側下がりの勾配を有する傾斜状に支持し、合掌２９上に一定の間隔で横方向の母屋３０を固定し、この母屋３０上に傾斜状となる垂木３１を並べ、垂木３１上に野地板３２を敷設し、野地板３２上に瓦材を敷設すると共に、上記上下母屋３０間に生じた空間と、垂木３１間に生じた空間のそれぞれを断熱用の角材３３を並べることによって埋め、小屋組に断熱機能を付加した構造になっている。【００３９】  次に、この発明の構築方法による木造建築の構築を説明する。【００４０】  木造の建物を構築せんとする地面に、建物の平面形状に合わせた点在的な配置で多数のベース１を構築し、この各ベース１の目潰しコンクリート４上にコンクリート製の独立基礎５を設置することにより、独立基礎５を点在的に配置する。【００４１】  上記各独立基礎５の上端面に防湿材６をを介して、上下に二本の角材７ａ、７ｂを元口と末口の方向が逆配置となるよう重ねた土台７を平面的に枠状となるよう載置し、アンカーボルト８とナット１０の締め付けにより、土台７を独立基礎５と固定化する。【００４２】  図１と図４のように、上記土台７上には、土台７のコーナ部分に隅柱１１と、隅柱１１間の位置に所要数の間柱１２と、隅柱１１と間柱１２間に壁用パネル１３をそれぞれ建て込むと共に、これらの上部に軒げた１４を載置結合することにより壁構造を構築し、この壁構造上に小屋組を組み立てることにより、木製角材を主体とする木製建物の軸組が完成する。【００４３】  このような軸組に対して、室内を間仕切りして内外装を施すことにより、木製建物の構築が完了し、壁構造は両面がフラットになっているので、内外装の施工が簡単で美しく仕上がり、また、壁構造における隅柱１１の部分は、隅柱１１と壁用パネル１３の縦枠材１５の三本の木製角材が集合した構造となり、隅部の強度向上により耐震性に優れた建物を構築することができる。【００４４】  また、壁構造と小屋組は、その空間が断熱用の角材１９、２１、３３で埋められているので、断熱性に優れた建物を構築することができると共に、図示の建物は一階建を示したが、壁構造を上方に延長して設けることにより、二階建や三階建の建物を構築することができる。【００４５】  更に、図１１のように、点在して配置したコンクリート製独立基礎５間���上部に、断熱用の板３４を、床の下面に接近して着脱自在に張設するようにすると、冬季において断熱用の板３４を張設することで床部の断熱性を向上させ、室内の保温効果の向上を図り、また、夏期にはこれを取り外すことにより床部を外気で冷し、室内を涼しくすることができる。
【図面の簡単な説明】
【００４６】
【図１】この発明の構築方法を用いて組み立てた基礎と壁構造を示す一部切り欠き正面図
【図２】（Ａ）はこの発明の構築方法を用いて組み立てた壁構造と屋根組を示す正面図、（Ｂ）は屋根組の拡大した縦断側面図
【図３】この発明の構築方法を用いて組み立てた基礎構造と壁構造の一部切り欠き正面図
【図４】壁構造の隅柱と壁用パネルの組み合わせを示す横断平面図
【図５】（Ａ）は壁用パネルの第１の例を示す一部切り欠き正面図、（Ｂ）は同上の拡大した横断平面図
【図６】（Ａ）は壁用パネルの第２の例を示す一部切り欠き正面図、（Ｂ）は同上の拡大した横断平面図
【図７】壁用パネルの結合構造を示す拡大した横断平面図
【図８】土台と壁用パネルの結合構造を示す拡大した一部切り欠き正面図
【図９】（Ａ）は壁用パネルの第３の例を示す正面図、（Ｂ）は同分解斜視図、（Ｃ）は同平面図
【図１０】（Ａ）は壁用パネルの第４の例を示す正面図、（Ｂ）は同分解斜視図、（Ｃ）は同平面図
【図１１】この発明の構築方法を用いて組み立てた木造建築の床に対して施す断熱のための構造を示す正面図
【符号の説明】
【００４７】１      ベース
２      孔
３      栗石
４      コンクリート
５      独立基礎
６      防湿材
７      土台
８      アンカーボルト
９      貫通孔
１０    ナット
１１    隅柱
１３    壁用パネル
１４    木製角材
１５    縦枠材
１６    上下枠材
１７    枠体
１８    縦桟材
１９    断熱用角材
２０    平板
２１    断熱用角材
２２    凹溝
２３    結合用角材
２４    ホゾ孔
２５    ホゾ
２６    真づか
２７    つりづか
２８    方づえ
２９    合掌
３０    母屋
３１    垂木
３２    野地板
３３    断熱用角材
【図１】
2005201025.tif 000003
【図２】
2005201025.tif 000004
【図３】
2005201025.tif 000005
【図４】
2005201025.tif 000006
【図５】
2005201025.tif 000007
【図６】
2005201025.tif 000008
【図７】
2005201025.tif 000009
【図８】
2005201025.tif 000010
【図１０】
2005201025.tif 000011
【図９】
2005201025.tif 000012
【図１１】
2005201025.tif 000013